(57)【要約】【課題】内部に保管する殺菌された内視鏡等の保管物を常時除菌しつつ、取り出し等のために扉開閉を行っても保管物を塵埃等で極力汚損させない浄化状態を保持することのできる保管庫の提供を目的とする。【解決手段】ファン部材５により外気取り入れ口４より外気を強制的に吸気し、この空気を殺菌手段６にて除菌、脱臭した後、除菌、脱臭を要する収納物を収納してなる保管庫本体内に送出し、最後に排気口１２より庫内の空気を外部に排出する保管庫１において、外気取り入れ口の吸入空気量よりも排気口の排気空気量を少なくすることで庫内を常時陽圧とし、保管庫の扉を開けた際に外気の侵入を防止する。【選択図】図１
2006340783.tif 000002
【特許請求の範囲】
【請求項１】
外気取り入れ口より外気を強制的に吸気し、この空気を除菌、脱臭手段にて除菌、脱臭した後、収納物を収納してなる庫内に送出し、最後に排気口より庫内の空気を外部に排出する保管庫において、前記外気取り入れ口の吸入空気量よりも前記排気口の排気空気量を少なくすることで庫内を常時陽圧とし、保管庫の扉を開けた際に外気の侵入を防止することを特徴とする保管庫。
【請求項２】
除菌、脱臭された空気を庫内に送出する噴き出し口は保管庫内の扉方向上部に形成し、かつ排気口は保管庫内の扉方向底部若しくはその近傍に形成し、庫内に上部から底部への空気の層流を形成することを特徴とする請求項１記載の保管庫。
【請求項３】
空気を除菌、脱臭する手段は、光触媒と該光触媒を励起する紫外線ランプとしたことを特徴とする請求項１記載の保管庫。
【発明の詳細な説明】
【技術分野】
【０００１】
本発明は、庫内の空気の浄化・脱臭・殺菌を行う保管庫に関し、特に医療器具の内視鏡等を収納・保管する大径な保管庫において、器具の取り出し等で扉を開閉しても収納する医療器具等を塵埃等で極力汚染させないように工夫を凝らした保管庫に関する。
【背景技術】
【０００２】
病院等医療機関において医療器具の内視鏡は、使用後に殺菌・消毒され、塵埃や、細菌・ウィルス等が付着しないように、常に除菌されている状態で保管する必要がある。そのため、内視鏡専用の保管庫が設置されていることが多い。一般的な殺菌庫の場合には、紫外線ランプからなる殺菌灯や、オゾン発生手段を備えて除菌することが多いが、内視鏡にあっては柔軟性を備えるべく可撓性を有する合成樹脂材を用いており、これは紫外線やオゾンを浴びると経時的に酸化等により脆くなってひび割れが生じる等の劣化が進行することから、内視鏡用の保管庫としてはこれらの除菌手段を用いることは適切でなかった。
【０００３】
また、保管庫の構造としては図３に示すごとく、前面に開閉自在な扉２２を備え、内部に適宜な除菌手段を備えるとともに、内部の背面２３に内視鏡２４を懸架して保管する保管庫２１が存在している。そして内視鏡２４の取り出しに際しては、引き戸の扉２２を開けて内視鏡２４を取り出し、扉２２を閉めるという動作を行うものである。
【特許文献１】特開２００５−５２１９９号公報
【発明の開示】
【発明が解決しようとする課題】
【０００４】
しかしながら、上述した従来の保管庫２１にあっては、内部に除菌手段を備えているので扉２２が閉まっている状態では、内視鏡２４が除菌され続けられる好適な浄化状態であるが、ひとたび扉２２が開けられると、大きく開いた開口部から保管庫２１内に外気とともに多くの塵埃等が侵入する恐れがあった。これでは、せっかく除菌されていた内視鏡２４が、扉２２を開閉するたびに汚損されてしまうこととなり問題であった。
【０００５】
そこで本発明にあっては、上述した課題を解決すべく、内部に保管する内視鏡等の保管物を常時除菌しつつ、取り出し等のために扉開閉を行っても保管物を塵埃等で極力汚損させずに浄化状態を保持することのできる保管庫の提供を目的とする。
【課題を解決するための手段】
【０００６】
上記目的を達成するため、本発明の保管庫は、外気取り入れ口より外気を強制的に吸気し、この空気を除菌、脱臭手段にて除菌、脱臭した後、収納物を収納してなる庫内に送出し、最後に排気口より庫内の空気を外部に排出する保管庫において、前記外気取り入れ口の吸入空気量よりも前記排気口の排気空気量を少なくすることで庫内を常時陽圧とし、保管庫の扉を開けた際に外気の侵入を防止することを特徴とする。
【０００７】
また、除菌、脱臭された空気を庫内に送出する噴き出し口は保管庫内の扉方向上部に形成し、かつ排気口は保管庫内の扉方向底部若しくはその近傍に形成し、庫内に上部から底部への空気の層流を形成することを特徴とする。
【０００８】
また、空気を除菌、脱臭する手段は、光触媒と該光触媒を励起する紫外線ランプとしたことを特徴とする。
【発明の効果】
【０００９】
本発明の保管庫は、外気取り入れ口より外気を強制的に吸気し、この空気を除菌、脱臭手段にて除菌、脱臭した後、収納物を収納してなる庫内に送出し、最後に排気口より庫内の空気を外部に排出する保管庫において、前記外気取り入れ口の吸入空気量よりも前記排気口の排気空気量を少なくすることで庫内を常時陽圧とすることにより、保管庫の扉を開けた際に、庫内の空気圧が外部よりも高いので空気は庫内から外部へと流れて、庫内への外気の侵入を防止して、庫内を好適な浄化状態に維持することができる。
【００１０】
また、除菌、脱臭された空気を庫内に送出する噴き出し口は保管庫内の扉方向上部に形成し、かつ排気口は保管庫内の扉方向底部若しくはその近傍に形成し、庫内に上部から底部への空気の層流を形成することで、扉方向上部から底部方向への空気の層流が、庫内への外気の侵入を妨げるカーテンのごとき作用を発揮することから、扉を開けた際に庫内に外気が侵入しない好適な浄化状態を保持することができる。
【００１１】
また、空気を除菌、脱臭する手段は、光触媒と該光触媒を励起する紫外線ランプとしたことで、保管庫内に取り入れる空気を除菌、消臭して浄化状態を維持する。
【発明を実施するための最良の形態】
【００１２】
図１及び図２は、本発明に係る保管庫１を示しており、２は開閉自在な引き戸式の扉、３は保管庫１内の背面に懸架されて収納される内視鏡、４は保管庫１の上部両側面に形成された外気取り入れ口、５は外気取り入れ口４の内方に配設され、外気を強制的に庫内に吸気するためのファン部材、６は光触媒プレート７とこの光触媒を励起する紫外線を照射するとともに、この紫外線自身で殺菌する紫外線ランプ８とからなる殺菌手段、９は保管庫１内の上部を仕切壁１０によって仕切って形成された、殺菌手段５、外気取り入れ口４、ファン部材５を内部に配置する外気殺菌部、１１はその外気殺菌部９内に取り入れられて殺菌した空気を庫内底部方向に噴き出すべく扉２の近傍の仕切壁１０に形成された噴き出し口、１２は保管庫１の底部若しくはその近傍で扉２に近い両側面に形成された排気口であって、前記外気取り入れ口４の吸入空気量よりも排気空気量を少なくするために、外気取り入れ口４よりもその口径を小径としている。
【００１３】
前記殺菌手段６は、外気殺菌部９の左右の外気取り入れ口４から取り入れられる空気を別個に殺菌するように左右に分かれて配設されている。そして、上下に並設する光触媒プレート７の相対向する面に、光触媒として酸化チタンを角柱状に結晶化させて生成し、その間に紫外線ランプ８を配置し、この空間に空気を流通させる構成としている。この殺菌手段６は、従来の光触媒のごとく酸化チタンにバインダーを混練して塗布する構成ではなく、結晶化させて生成させることですべて酸化チタンから構成することができ、かつその表面に角柱状に凹凸があることから表面積が増大し、アセトアルデヒド分解特性、ホルムアルデヒド分解性能などのガス成分の光触媒効果がきわめて高い。そして、殺菌手段６の紫外線ランプ８は、噴き出し口１１から離れて位置して庫内に紫外線を漏れ出すことがないので、内視鏡３を構成する合成樹脂材等を劣化させる恐れはない。
【００１４】
このような構造からなる本実施例の保管庫１にあっては、上部右方向の外気取り入れ口４から取り入れた空気は右側の殺菌手段６を通過しつつ殺菌・脱臭された後、噴き出し口１１の左側部分から扉２面に沿って底部方向に向かう層流として噴き出され、また上部左方向の外気取り入れ口４から取り入れた空気は左側の殺菌手段６を通過しつつ殺菌・脱臭された後、噴き出し口１１の右側部分から扉２面に沿って底部方向に向かう層流として噴き出される。これにより、保管庫１内に収納してなる除菌、脱臭を要する医療器具の内視鏡３等の収納物を好適な浄化状態に維持することができるものである。そして、この空気の流れは、保管庫１内部に外からの空気の流入を防ぐエアーカーテン作用を発揮し、扉２を開けても外気はエアーカーテンに妨げられて庫内に侵入することがないものである。そして、庫内の空気は外気取り入れ口４と比較すると小径な排気口１２から僅かずつ外部へ排気され、これにより庫内は外気圧よりも少し高い陽圧、例えば１０〜２０ｍｍＨ2Ｏ程度空気圧を上げるものである。
【図面の簡単な説明】
【００１５】
【図１】本発明の保管庫の内部を正面からみた説明図である。
【図２】本発明の保管庫の内部を側面からみた説明図である。
【図３】従来の保管庫の一部切欠斜視図である。
【符号の説明】
【００１６】
１  保管庫
２  扉
３  内視鏡
４  外気取り入れ口
５  ファン部材
６  殺菌手段
７  光触媒プレート
８  紫外線ランプ
９  外気殺菌部
１０  仕切壁
１１  噴き出し口
１２  排気口
【図１】
2006340783.tif 000003
【図２】
2006340783.tif 000004
【図３】
2006340783.tif 000005